(57)【要約】  心電図測定システムは、パッチ型の心電図測定機器と、心電図測定機器と第１通信方法によって連結され、心電図測定機器で測定された心電図データを保存することができる第１デバイスと、心電図測定機器と第１通信方法によって連結され、心電図測定機器で測定された心電図データを保存することができる第２デバイスと、を含み、心電図測定機器で測定された心電図データは、測定された時間情報を含んでいることを特徴とする。
2021509071.tif 000002
【特許請求の範囲】
【請求項１】
心電図測定システムにおいて、パッチ型の心電図測定機器を含み、
前記心電図測定機器で測定された心電図データは、測定された時間情報を含んでいる、ことを特徴とする
心電図測定システム。
【請求項２】
前記心電図測定システムは、前記心電図測定機器と第１通信方法によって連結され、前記心電図測定機器で測定された心電図データを保存することができる第１デバイスと、
前記心電図測定機器と前記第１通信方法によって連結され、前記心電図測定機器で測定された心電図データを保存することができる第２デバイスと、をさらに含み、
前記第１デバイスが、前記心電図測定機器で測定された心電図データを保存する時間区間と、前記第２デバイスが、前記心電図測定機器で測定された心電図データを保存する時間区間は、少なくとも一部分が互いに異時的である、ことを特徴とする
請求項１に記載の心電図測定システム。
【請求項３】
前記第１デバイスは、前記第２デバイスに保存された前記心電図測定機器で測定された心電図データを受けて保存することができ、前記第１デバイスに保存されていた心電図データと、前記第２デバイスから入力された心電図データとを、各心電図データに含まれた測定された時間情報を利用して結合することができる、ことを特徴とする
請求項２に記載の心電図測定システム。
【請求項４】
前記第１デバイスは、前記第２デバイスが連結されており、前記第１デバイスにインストールされたアプリケーションプログラムを介して心電図データを表示する場合、前記第１デバイスに保存されていた心電図データと、前記第２デバイスから入力された心電図データとを、各心電図データに含まれた測定された時間情報を利用して結合して表示することができる、ことを特徴とする
請求項３に記載の心電図測定システム。
【請求項５】
前記第１デバイスは、前記第２デバイスが、前記心電図測定機器と前記第１通信方法によって連結されている状態で、前記心電図測定機器と第１通信方法によって連結することができる状態である場合、前記第２デバイスが、前記心電図測定機器との連結を解除するように指示することができる、ことを特徴とする
請求項３に記載の心電図測定システム。
【請求項６】
前記第１デバイスは、前記第２デバイスが、前記心電図測定機器と前記第１通信方法によって連結することができる状態である場合、前記第２デバイスが、前記心電図測定機器と連結するように指示することができる、ことを特徴とする
請求項５に記載の心電図測定システム。
【請求項７】
前記心電図測定機器は、前記心電図測定機器で測定された心電図データを受信することができる外部デバイスがない場合、警告信号を生成する、ことを特徴とする
請求項１ないし請求項６のうちいずれか１項に記載の心電図測定システム。
【請求項８】
前記第１デバイスは、前記第１デバイスが、前記心電図測定機器で測定された心電図データを受信することができず、前記第２デバイスも、前記心電図測定機器で測定された心電図データを受信することができない場合、警告信号を生成する、ことを特徴とする
請求項１ないし請求項６のうちいずれか１項に記載の心電図測定システム。
【発明の詳細な説明】
【技術分野】
【０００１】
本発明は、パッチ型心電図測定機器を具備した心電図測定システムに係り、さらに詳細には、心電図データを保存するために、外部デバイスと連結することができるパッチ型心電図測定機器を具備した心電図測定システムに関する。
【背景技術】
【０００２】
現在まで知られたＥＣＧ（ｅｌｅｃｔｒｏｃａｒｄｉｏｇｒａｍ）データ保存と係わる製品は、パッチ型測定機器自体の内蔵メモリを介して保存する製品と、ＢＬＥ（Ｂｌｕｅｔｏｏｔｈ（登録商標）  Ｌｏｗ  Ｅｎｅｒｇｙ）通信を介してスマートフォンにデータを伝送し、スマートフォン画面にリアルタイムＥＣＧ信号を出力しながら、スマートフォンのメモリに保存する製品とに大きく分けられる。
【０００３】
内蔵メモリを利用するパッチ型心電図測定機器の場合には、メモリ空間の確保が要求され、パッチ型心電図測定機器の超小型化具現、及びメモリ再使用がなされないという短所がある。併せて、スマートフォンのメモリに保存するパッチ型心電図測定機器の場合には、スマートフォンを常時携帯していなければならないという制限がある。
【０００４】
従来技術としては、大韓民国公開特許公報第１０−２０１２−００８４９５０号（２０１２年０７月３１日公開）に開示された心電図測定用電極パッチ、及びそれを利用した心電図測定装置を例として挙げることができる。
【発明の概要】
【発明が解決しようとする課題】
【０００５】
本発明は、前述のような技術的課題を解決するところに目的がある発明であり、心電図データを保存するデバイスを選択的に利用することができ、パッチ型心電図測定機器の超小型化が可能なだけではなく、スマートフォンを常時共に携帯する必要がないパッチ型心電図測定機器を具備した心電図測定システムを提供するところにその目的がある。
【課題を解決するための手段】
【０００６】
本発明の心電図測定システムは、パッチ型の心電図測定機器と、前記心電図測定機器と第１通信方法によって連結され、前記心電図測定機器で測定された心電図データを保存することができる第１デバイスと、前記心電図測定機器と前記第１通信方法によって連結され、前記心電図測定機器で測定された心電図データを保存することができる第２デバイスと、を含む。
【０００７】
併せて、前記心電図測定機器で測定された心電図データは、測定された時間情報を含んでいる。望ましくは、前記第１デバイスが、前記心電図測定機器で測定された心電図データを保存する時間区間と、前記第２デバイスが、前記心電図測定機器で測定された心電図データを保存する時間区間は、少なくとも一部分が互いに異時的であることを特徴とする。
【０００８】
具体的には、前記第１デバイスは、前記第２デバイスに保存された前記心電図測定機器で測定された心電図データを受けて保存することができ、前記第１デバイスに保存されていた心電図データと、前記第２デバイスから入力された心電図データとを、各心電図データに含まれた測定された時間情報を利用して結合することができる。
【０００９】
また、前記第１デバイスは、前記第２デバイスが連結されており、前記第１デバイスにインストールされたアプリケーションプログラムを介して心電図データを表示する場合、前記第１デバイスに保存されていた心電図データと、前記第２デバイスから入力された心電図データとを、各心電図データに含まれた測定された時間情報を利用して結合して表示することができる。
【００１０】
併せて、前記第１デバイスは、前記第２デバイスが、前記心電図測定機器と前記第１通信方法によって連結されている状態で、前記心電図測定機器と第１通信方法によって連結することができる状態である場合、前記第２デバイスが、前記心電図測定機器との連結を解除するように指示することができることを特徴とする。
【００１１】
望ましくは、前記第１デバイスは、前記第２デバイスが、前記心電図測定機器と前記第１通信方法によって連結することができる状態である場合、前記第２デバイスが、前記心電図測定機器と連結するように指示することができることを特徴とする。
【００１２】
また、前記心電図測定機器は、前記心電図測定機器で測定された心電図データを受信することができる外部デバイスがない場合、警告信号を生成することができる。併せて、前記第１デバイスは、前記第１デバイスが、前記心電図測定機器で測定された心電図データを受信することができず、前記第２デバイスも、前記心電図測定機器で測定された心電図データを受信することができない場合、警告信号を生成することができる。
【発明の効果】
【００１３】
本発明のパッチ型心電図測定機器を具備した心電図測定システムによれば、心電図データを保存するデバイスを選択的に利用することができ、パッチ型心電図測定機器の超小型化が可能なだけではなく、スマートフォンを常時共に携帯する必要がない。
【図面の簡単な説明】
【００１４】
【図１】本発明の望ましい一実施形態によるパッチ型心電図測定機器を具備した心電図測定システムの構成図である。
【図２】本発明の望ましい一実施形態による心電図測定機器の構成図である。
【図３】本発明の望ましい一実施形態による第１デバイスの構成図である。
【図４】本発明の望ましい一実施形態による第２デバイスの構成図である。
【図５】第１デバイスによる心電図データの結合説明図である。
【発明を実施するための形態】
【００１５】
以下、添付された図面を参照しながら、本発明の実施形態によるパッチ型心電図測定機器を具備した心電図測定システムについて詳細に説明する。
【００１６】
本発明の下記の実施形態は、本発明を具体化させるためのものであるのみ、本発明の権利範囲を制限したり限定したりするものではないことは、言うまでもない。本発明の詳細な説明、及び実施形態から、本発明が属する技術分野の専門家が容易に類推することができることは、本発明の権利範囲に属するものと解釈される。
【００１７】
まず、図１は、本発明の望ましい一実施形態によるパッチ型心電図測定機器を具備した心電図測定システム１００の構成図を示す。
【００１８】
図１から分かるように、本発明の望ましい一実施形態による心電図測定システム１００は、心電図測定機器１０、第１デバイス２０及び第２デバイス３０を含む。
【００１９】
図２は、本発明の望ましい一実施形態による心電図測定機器１０の構成図を示す。
【００２０】
図２から分かるように、心電図測定機器１０は、多数の電極Ｅ１、チャネル連結部１１、データ処理部１２、第１プロセッサ１３及び第１通信部１４を含んでも構成される。
【００２１】
心電図測定機器１０は、形状がパッチ型であり、人体に付着され、多数の電極Ｅ１により、１チャネル以上の心電図データを測定することができる。併せて、心電図測定機器１０は、外部電極Ｅ２によって測定された１チャネル以上の心電図測定データを、チャネル連結部１１を介して入力されることにより、心電図測定チャネル数の拡張が可能である。チャネル連結部１１としては、外部電極Ｅ２による測定データを、データ処理部１２の入力として使用する入力端子の形態を例として挙げることができる。
【００２２】
心電図測定機器１０自体の電極Ｅ１、または外部電極Ｅ２によって測定された心電図データは、データ処理部１２によって増幅され、デジタル信号に変換される。そのために、データ処理部１２は、増幅器及びアナログ・デジタル変換器を含むことが望ましい。
【００２３】
併せて、データ処理部１２から出力された心電図データは、第１プロセッサ１３により、心電図データが測定された時間情報、すなわち、タイムスタンプ（ｔｉｍｅ−ｓｔａｍｐ）が挿入され、第１通信部１４を介して、第１通信方法によって外部デバイスに伝送されることになる。具体的には、第１通信方法は、ＢＬＥ（Ｂｌｕｅｔｏｏｔｈ（登録商標）  Ｌｏｗ  Ｅｎｅｒｇｙ）通信を例として挙げることができる。心電図測定機器１０は、第１通信部１４を介して、外部デバイスに心電図データを伝送することができ、外部デバイスからデータを受信することができる。ここでは、便宜上、心電図データとしてのみ説明したが、データと共に必要な制御信号が含まれてもよいということは、言うまでもない。
【００２４】
図３は、本発明の望ましい一実施形態による第１デバイス２０の構成図を示す。
【００２５】
図３から分かるように、第１デバイス２０は、第２メモリ２１、第２プロセッサ２２、第２通信部２３及び第３通信部２４を含んでも構成される。例えば、第１デバイス２０は、スマートフォン、タブレットＰＣのような移動端末機を利用しても具現される。
【００２６】
第２メモリ２１は、心電図測定機器１０で測定された心電図データを保存することができる。第１デバイス２０には、アプリケーションプログラムがインストールされ、第２プロセッサ２２は、当該アプリケーションプログラムを実施することができる。第２プロセッサ２２によってアプリケーションプログラムが実施されれば、第２メモリ２１に保存された心電図データが処理され、第１デバイス２０の画面にも表示される。
【００２７】
第２通信部２３は、第１通信方法により、心電図測定機器１０から心電図データを受信することになる。第１通信方法は、ＢＬＥ通信を例として挙げることができる。第２通信部２３によって受信された心電図データは、第２メモリ２１に保存されることになる。心電図測定機器１０から受信された心電図データは、心電図データが測定された時間情報、すなわち、タイムスタンプが挿入されていることを特徴とする。
【００２８】
第３通信部２４は、第１通信方法ではない無線あるいは有線の通信方法により、第２デバイス３０とのデータの送受信を可能にする。第３通信部２４は、第１通信方法として、他の一例として、Ｗｉ−Ｆｉ通信を利用することもできる。ここで、第２デバイス３０と第１デバイス２０とが第１デバイス２０のＵＳＢ端子などを介して、直接連結されることにより、第２デバイス３０からのデータを入力したり、第２デバイス３０にデータを出力することができるということは、言うまでもない。第３通信部２４を介して、または直接的な連結を介して、第２デバイス３０から入力された心電図データは、第２メモリ２１に保存されることになる。
【００２９】
図４は、本発明の望ましい一実施形態による第２デバイス３０の構成図を示す。
【００３０】
図４から分かるように、第２デバイス３０は、第３メモリ３１、第３プロセッサ３２、第４通信部３３及び第５通信部３４を含んでも構成される。例えば、第２デバイス３０は、ドングル（ｄｏｎｇｌｅ）形態のメモリに通信機能を搭載し、小型化されたデバイスによって具現されることが望ましい。
【００３１】
第３メモリ３１は、心電図測定機器１０で測定された心電図データを保存することができる。第３プロセッサ３２は、心電図データの処理などを実施することができる。
【００３２】
第４通信部３３は、第１通信方法により、心電図測定機器１０から心電図データを受信することになる。第１通信方法は、ＢＬＥ通信を例として挙げることができる。第４通信部３３によって受信された心電図データは、第３メモリ３１に保存されることになる。心電図測定機器１０から受信された心電図データは、心電図データが測定された時間情報、すなわち、タイムスタンプが挿入されていることを特徴とする。
【００３３】
第５通信部３４は、第１通信方法ではない無線通信方法により、第１デバイス２０とのデータの送受信を可能にする。第５通信部３４は、一例として、Ｗｉ−Ｆｉ通信を利用することができる。ここで、第２デバイス３０と第１デバイス２０とが第１デバイス２０のＵＳＢ端子などを介して直接連結されることにより、第２デバイス３０とのデータ送受信が可能である。
【００３４】
以下、心電図測定機器１０で測定された心電図データを、第１デバイス２０と第２デバイス３０とで保存する方法について具体的に説明する。
【００３５】
第１デバイス２０は、第２デバイス３０に命令を伝送し、第２デバイス３０の動作を制御することができるマスターデバイス（ｍａｓｔｅｒ  ｄｅｖｉｃｅ）として動作することが望ましい。すなわち、第２デバイス３０は、スレーブデバイス（ｓｌａｖｅ  ｄｅｖｉｃｅ）として動作することを特徴とする。それにより、第１デバイス２０は、第２デバイス３０の、他のデバイスとの連結状態情報を受信することができるだけではなく、第２デバイス３０の、他のデバイスとの連結または連結解除の命令を伝送することもできる。ここで、他のデバイスは、心電図測定機器１０になるのである。
【００３６】
第１デバイス２０が第１通信方法により、心電図測定機器１０に連結されている場合、心電図測定機器１０で測定された心電図データは、第１デバイス２０に保存される。
【００３７】
併せて、第１デバイス２０が心電図測定機器１０と第１通信方法による連結が解除された場合、第２デバイス３０が心電図測定機器１０近辺に位置した場合、第２デバイス３０と心電図測定機器１０とが自動的にも連結される。それにより、心電図測定機器１０で測定された心電図データは、第２デバイス３０に保存される。
【００３８】
すなわち、第１デバイス２０が心電図測定機器１０で測定された心電図データを保存する時間区間と、第２デバイス３０が心電図測定機器１０で測定された心電図データを保存する時間区間は、互いに異なり、区間が重ならない。すなわち、第１デバイス２０が心電図測定機器１０で測定された心電図データを保存する時間区間と、第２デバイス３０が心電図測定機器１０で測定された心電図データを保存する時間区間は、互いに異時的であることを特徴とする。それは、１つの通信モジュールに１つのデバイスだけ同時に接続することができるＢＬＥ通信の特徴に起因する。併せて、もしさまざまなデバイスと同時に接触する通信を使用しても、第１デバイス２０と第２デバイス３０とが同時に同じ心電図データを保存しても、時間情報、すなわち、タイムスタンプにより、重複された心電図データを識別することができる。言わば、第１デバイス２０が心電図測定機器１０で測定された心電図データを保存する時間区間と、第２デバイス３０が心電図測定機器１０で測定された心電図データを保存する時間区間は、少なくとも一部分が互いに異時的である。
【００３９】
第１デバイス２０は、第２デバイス３０に保存された心電図測定機器１０で測定された心電図データ入力を受けて保存することができる。第１デバイス２０と第２デバイス３０との連結は、第１通信方法ではない無線通信方法，または直接連結を例として挙げることができる。
【００４０】
図５は、第１デバイス２０による心電図データの結合説明図を示す。ここでは、説明の便宜上、心電図データが重畳されないように表示されたが、第１デバイス２０に保存された心電図データと、第２デバイス３０に保存された心電図データは、少なくとも一部区間が互いに重なる部分があるということは、言うまでもない。その重なる部分は、本発明の特徴であるタイムスタンプによって識別されるのである。
【００４１】
第１デバイス２０は、第１デバイス２０に保存されていた心電図測定機器１０で測定された心電図データと、第２デバイス３０に保存されていた心電図測定機器１０で測定された心電図データとを、各心電図データに含まれた測定された時間情報を利用して結合し、第１デバイス２０に新たに保存することができる。
【００４２】
具体的には、第１デバイス２０は、第２デバイス３０が連結されており、第１デバイス２０にインストールされたアプリケーションプログラムを介して心電図データを処理（例として表示）する場合、自動的に第１デバイス２０に保存されていた、心電図測定機器１０で測定された心電図データと、第２デバイス３０に保存されていた心電図測定機器１０で測定された心電図データとを、各心電図データに含まれた測定された時間情報を利用して結合し、第１デバイス２０の画面に表示することができることを特徴とする。
【００４３】
第１デバイス２０は、心電図測定機器１０で測定された心電図データを、第１デバイス２０または第２デバイス３０のうち１つのデバイスを選択して保存させる。以下、第１デバイス２０による、第１デバイス２０または第２デバイス３０のうち１つのデバイスを選択する方法について説明する。
【００４４】
第１デバイス２０は、第２デバイス３０が、心電図測定機器１０と第１通信方法によって連結されている状態で、第１デバイス２０が、心電図測定機器１０と第１通信方法によって連結することができる状態である場合、第２デバイス３０が、心電図測定機器１０との連結を解除するように指示することができる。それにより、第２デバイス３０と心電図測定機器１０との連結は解除され、第１デバイス２０と心電図測定機器１０とが連結され、心電図測定機器１０で測定された心電図データは、第１デバイス２０に保存される。
【００４５】
また、第１デバイス２０は、第２デバイス３０が心電図測定機器１０と第１通信方法によって連結することができる状態である場合、第２デバイス３０が、心電図測定機器１０と連結するように指示することができる。例えば、第１デバイス２０が、心電図測定機器１０と第１通信方法によって連結されている状態で、第１デバイス２０による心電図データの保存を停止する場合、第１デバイス２０は、自体の心電図測定機器１０との連結を解除し、第２デバイス３０を心電図測定機器１０と連結させる。ただし、第１デバイス２０が、自体の心電図測定機器１０との連結を解除した場合、第２デバイス３０が、心電図測定機器１０近辺に位置した場合、第２デバイス３０と心電図測定機器１０とが自動的にも連結される。
【００４６】
心電図測定機器１０は、心電図測定機器１０で測定された心電図データを受信することができる第１デバイス２０または第２デバイス３０のようないかなる外部デバイスもない場合、警告信号を生成し、ユーザに心電図データが保存されえない状況であるということを知らせる。
【００４７】
同時に、第１デバイス２０は、第１デバイス２０が心電図測定機器１０で測定された心電図データを受信することができず、第２デバイス３０も、心電図測定機器１０で測定された心電図データを受信することができない場合、警告信号を生成することができる。
【００４８】
すなわち、本発明での警告信号は、心電図測定機器１０及び／または第１デバイス２０によっても生成される。
【００４９】
前述のように、本発明のパッチ型心電図測定機器１０を具備した心電図測定システム１００によれば、心電図データを保存するデバイスを、第１デバイス２０と第２デバイス３０とのうち選択的に利用することができ、パッチ型心電図測定機器１０が別途の大きい内蔵メモリを必要とせず、超小型化が可能である。
【００５０】
また、本発明のパッチ型心電図測定機器１０を具備した心電図測定システム１００によれば、スマートフォンのようにサイズのある第１デバイス２０を常時携帯する必要なしに、小さいドングル形態の第２デバイス３０に心電図データを保存することができる。併せて、本発明のパッチ型心電図測定機器１０を具備した心電図測定システム１００によれば、互いに異なるデバイスに異時的に保存された心電図データが、測定された時間情報を利用して１つのデータとして結合され、全体心電図データを作成することができ、使用の便宜性が向上される。
【図１】
2021509071.tif 000003
【図２】
2021509071.tif 000004
【図３】
2021509071.tif 000005
【図４】
2021509071.tif 000006
【図５】
2021509071.tif 000007
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
心電図測定システムにおいて、
パッチ型の心電図測定機器と、
前記心電図測定機器と第１通信方法によって連結され、前記心電図測定機器で測定された心電図データを保存することができる第１デバイスと、
前記心電図測定機器と前記第１通信方法によって連結され、前記心電図測定機器で測定された心電図データを保存することができる第２デバイスと、を含み、
前記心電図測定機器で測定された心電図データは、測定された時間情報を含んでおり、
前記第１デバイスが、前記心電図測定機器で測定された心電図データを保存する時間区間と、前記第２デバイスが、前記心電図測定機器で測定された心電図データを保存する時間区間は、少なくとも一部分が互いに異時的であり、
前記第１デバイスは、
前記第２デバイスに保存された前記心電図測定機器で測定された心電図データを受けて保存することができ、前記第１デバイスに保存されていた心電図データと、前記第２デバイスから入力された心電図データとを各心電図データに含まれた測定された時間情報を利用して結合することができる、ことを特徴とする
心電図測定システム。
【請求項２】
前記第１デバイスは、
前記第２デバイスが連結されており、前記第１デバイスにインストールされたアプリケーションプログラムを介して心電図データを表示する場合、前記第１デバイスに保存されていた心電図データと、前記第２デバイスから入力された心電図データとを、各心電図データに含まれた測定された時間情報を利用して結合して表示することができる、ことを特徴とする
請求項１に記載の心電図測定システム。
【請求項３】
前記第１デバイスは、
前記第２デバイスが、前記心電図測定機器と前記第１通信方法によって連結されている状態で、前記心電図測定機器と前記第１通信方法によって連結することができる状態である場合、
前記第２デバイスが、前記心電図測定機器との連結を解除するように指示することができる、ことを特徴とする
請求項２に記載の心電図測定システム。
【請求項４】
前記第１デバイスは、
前記第２デバイスが、前記心電図測定機器と前記第１通信方法によって連結することができる状態である場合、
前記第２デバイスが、前記心電図測定機器と連結するように指示することができる、ことを特徴とする
請求項３に記載の心電図測定システム。
【請求項５】
前記心電図測定機器は、
前記心電図測定機器で測定された心電図データを受信することができる外部デバイスがない場合、警告信号を生成する、ことを特徴とする
請求項１ないし請求項４のうちいずれか１項に記載の心電図測定システム。
【請求項６】
前記第１デバイスは、
前記第１デバイスが、前記心電図測定機器で測定された心電図データを受信することができず、前記第２デバイスも、前記心電図測定機器で測定された心電図データを受信することができない場合、警告信号を生成する、ことを特徴とする
請求項１ないし請求項４のうちいずれか１項に記載の心電図測定システム。
【国際調査報告】
2021509071.tif 000008
2021509071.tif 000009
2021509071.tif 000010
2021509071.tif 000011
2021509071.tif 000012
2021509071.tif 000013